(57)【特許請求の範囲】
【請求項１】
主吸入通路の第１吸入口を通って吸入された吸入空気中の異物質を除去するフィルターの役割をする塵袋が収納された集塵室と、該集塵室の後方に位置されて吸入力を発生するとともに吸入空気を排出するファンモーターアセンブリが収納された器具室とを備えたケース体とよりなる真空掃除機において、
前記主吸入通路とは別に、前記ケース体の周辺空気を吸入し得る周辺空気吸入手段が設けられ、該周辺空気吸入手段は、前記第１吸入口とは別途に、前記ケース体外周壁に第２吸入口が設けられ、該第２吸入口は垂直吸入管及び一端が閉鎖された水平吸入管を介して前記集塵室に連通し、前記水平吸入管には、その開口部と前記垂直吸入管との接続部との中間にオリフィス部が形成されると共に、該オリフィス部に前記器具室に連通してなるエジェクタパイプのノズルが位置してなることを特徴とする真空掃除機。
【請求項２】
上記吸入口側のケース体側壁には、上記周辺空気吸入手段の通路を開閉する開閉カバーが開閉自在に軸支えられることを特徴とする請求項１記載の真空掃除機。
【請求項３】
上記吸入口には、所定以上サイズの塵が浸透しないように吸入網が設けられたことを特徴とする請求項１記載の真空掃除機。
【請求項４】
上記周辺空気吸入手段は、上記吸入口から内側に至るほど断面積が漸次小さくなる吸入ガイドと、該吸入ガイドに連結されて下方向に延長形成されたストローブ状の吸入管と、該ストローブ状の吸入管の下端に連結されて水平方向に伸縮しながら延長形成された水平吸入管と、から構成されることを特徴とする請求項１記載の真空掃除機。
【請求項５】
上記水平吸入管は、上記ファンモーターアセンブリの内部に連結されて前記ファンモーターアセンブリから排出される空気が、水平吸入管の内部に噴射されて内部のエジェクタパイプにより吸入力が増大されるように構成されることを特徴とする請求項４記載の真空掃除機。
【請求項６】
上記塵袋には、ホールが穿孔形成されて該ホールに前記周辺空気吸入手段の水平吸入管の先方端が挿入されることを特徴とする請求項１記載の真空掃除機。
【請求項７】
上記ケース体の内部には、前方に上記集塵室が形成されて、該集塵室の後方両側に隔壁により分離された上記器具室と、パワーコードの収納されるコード室と、がそれぞれ形成されて、
上記周辺空気吸入手段は、前記器具室とコード室との間に二つの隔壁によって分離された空間の内部に設置されることを特徴とする請求項１から６までの何れか一項に記載の真空掃除機。
【発明の詳細な説明】
【０００１】
【発明の属する技術分野】
本発明は、真空掃除機に係るもので、詳しくは、掃除機の使用時に、該掃除機から排出される空気によって掃除機の周辺で浮遊する塵を、掃除機の内部に吸入させて浄化し得る真空掃除機に関するものである。
【０００２】
【従来の技術】
一般に、真空掃除機は、ファンモーターアセンブリの作動によって発生する強力な吸入力を利用して、塵などの異物質を集塵して掃除する機械である。
そして、従来の真空掃除機においては、図４に示したように、内部に後述する集塵室及び器具室が備えられて外部には一対の外輪７が装着されたケース体１０が形成され、該ケース体１０に吸入ヘッド２、延長管３及び吸入ホース５が順次連結されて構成されていた。
【０００３】
又、上記ケース体１０の内部には、図５に示したように、前方に塵袋２０が収納されて吸入空気中の塵などの異物質を収集する集塵室１１と、該集塵室１１の後方にファンモーターアセンブリ３０が収納されて吸入力を発生する器具室１３と、該器具室１３の側方に各隔壁１０ｂ、１０ｃにより隔離されて、パワーコード４１が収納されたコード室１４と、が構成されていた。
且つ、上記集塵室１１と器具室１３間には隔壁１０ａが形成されて、該隔壁１０ａには上記塵袋２０を通過した空気が器具室１３側に流動するように吸入ホール１２が穿孔形成されて、器具室１３及びコード室１４の後側壁には上記ファンモーターアセンブリ３０から排出される空気を上記ケース体１０の外部に排出させるための排出通路１３ａ、１４ａがそれぞれ穿孔形成されていた。
【０００４】
又、このように構成された従来の真空掃除機の動作においては、上記器具室１３内のファンモーターアセンブリ３０が作動すると、上記集塵室１１内の空気が、器具室１３側に吸入される吸入力によって塵などの異物質を包含した外部空気が吸入ヘッド２及び吸入ホース５を通って塵袋２０の内部に流入された後、器具室１３側に流動される。
従って、このとき、空気中の塵などの異物質は塵袋２０に引っかかって残されるが、前記塵袋２０を通過した空気は、器具室１３側に吸入された後、排出通路１３ａ、１４ａを夫々通ってケース１０の外部に排出される。
【０００５】
【発明が解決しようとする課題】
然るに、このような従来の真空掃除機においては、塵袋２０を通過して濾過された空気が排出通路１３ａ、１４ａを夫々通ってケース１０の外部に排出されるとき、掃除機の周辺では塵が包含された空気が浮遊されるため、使用者に不快感を与えるだけではなく、掃除の効率も低減するという不都合な点があった。
本発明は、このような従来の課題に鑑みてなされたもので、掃除機の使用中の排出空気によって浮遊される塵の包含された空気を、ケース体の内部に吸入して浄化することによって使用者の不快感を低減させるとともに、掃除効率を向上し得る真空掃除機を提供することを目的とする。
【０００６】
【課題を解決するための手段】
このような目的を達成するため、本発明に係る真空掃除機においては、主吸入通路の第１吸入口を通って吸入された吸入空気中の異物質を除去するフィルターの役割をする塵袋が収納された集塵室と、該集塵室の後方に位置されて吸入力を発生するとともに吸入空気を排出するファンモーターアセンブリが収納された器具室とを備えたケース体とよりなる真空掃除機において、前記主吸入通路とは別に、前記ケース体の周辺空気を吸入し得る周辺空気吸入手段が設けられ、該周辺空気吸入手段は、前記第１吸入口とは別途に、前記ケース体外周壁に第２吸入口が設けられ、該第２吸入口は垂直吸入管及び一端が閉鎖された水平吸入管を介して前記集塵室に連通し、前記水平吸入管には、その開口部と前記垂直吸入管との接続部との中間にオリフィス部が形成されると共に、該オリフィス部に前記器具室に連通してなるエジェクタパイプのノズルが位置してなることを特徴とする。
【０００７】
【発明の実施の形態】
以下、本発明の実施の形態に対し、図面を用いて説明する。
図１は、本発明に係る真空掃除機の構成を示した側面図であって、図２は、図１のＢ−Ｂ線方向断面図で、図３は、図２のＣ−Ｃ線方向断面図である。
本発明に係る真空掃除機においては、図１に示したように、後述する集塵室及び器具室を備えたケース体５０が形成されて該ケース体５０の前方に第１吸入口５１が穿孔形成され、前記ケース体５０の上面に周辺空気を吸入するための第２吸入口５２が穿孔形成されて、前記ケース体５０の前記第１吸入口５１には、掃除する区域の異物質を吸入するための吸入ヘッド５５、延長管５６及び吸入ホース５７からなる主吸入通路が連結されて構成されていた。
【０００８】
そして、前記ケース体５０においては、図２に示したように、ケース体５０の内部が隔壁５０ａ、５０ｂ、５０ｃによって分割されて前方に集塵室６０、後方両側に器具室７０及びコード室８０が形成され、それら器具室７０及びコード室８０間に中央室９０が構成されている。
又、上記集塵室６０は、上記ケース体５０の前方に位置されて、上記第１吸入口５１を有する塵袋６１が収納されて空気中の異物質を収集するように構成され、上記器具室７０とコード室８０とは、前記集塵室６０の後方に前記各隔壁５０ｂ、５０ｃによ隔離されて、前記器具室７０にはファンモーターアセンブリが収納装着されて、前記コード室８０にはコードホイール８１が装置されて該コードホイール８１にパワーコード８３が巻かれて収納されている。
【０００９】
又、上記集塵室６０と器具室７０間の隔壁５０ａには上記塵袋６１を通った空気が器具室７０側に流動するように吸入ホール５３が穿孔形成されて、上記ファンモーターアセンブリ７１から排出された空気がケース体５０の外部に排出されるようになっており、且つ、上記器具室７０の後方側壁、上記中央室９０の両側隔壁５０ｂ、５０ｃ、及び上記コード室８０の後方側壁には夫々排出通路５４ａ、５４ｂ、５４ｃ、５４ｄが穿孔形成されて、前記空気がそれら排出孔５４ａ、５４ｂ、５４ｃ、５４ｄを順次通ってケース体５０の外部に排出されるようになっており、前記中央室９０は、前記二つの隔壁５０ｂ、５０ｃ間に位置されて掃除途中発生する掃除機周辺の空気を吸入して浄化させるための周辺空気吸入手段１００が形成されている。
【００１０】
又、上記周辺空気吸入手段１００においては、図３に示したように、集塵室７０の内部に形成される負圧によってケース体５０の周辺空気が吸入されるように、上記第２吸入口５２と集塵室６０間に連結形成されて、上記ケース体５０の上部の第２吸入口５２からケース体５０の内側に垂直に連結されたストローブ状の吸入管１０５と、ストローブ状の吸入管１０５の下方端に連結されて上記集塵室６０の内側に挿入された水平吸入管１０７と、から構成されている。
且つ、上記第２吸入口５２には所定大きさ以上の異物質の流入を防止するために網状の吸入網１０１が係合されている。
【００１１】
又、上記第２吸入口５２とストローブ状の吸入管１０５間には、下方に至るほど断面積が漸次逆円錐体ストローブ状の入力ガイド１０３が形成されて、上記水平吸入管１０７の内部には上記器具室７０から高圧の排出空気が流入されるようにエジェクタパイプ１１０が挿入連結されるが、該エジェクタパイプ１１０の先方端には、ノズル１１１が形成されて、該ノズル１１１に対応して前記水平吸入管１０７の周壁部分に、流路の断面積が小さくなるオリフィス部１０７ａが縮小形成されて、前記エジェクタパイプ１１０から高圧の空気が高速に噴射されるとき、周辺の圧力を最大限低減させて上記周辺空気吸入手段１００の吸入力の発生を上昇するようになっている。
このとき、上記エジェクタパイプ１１０は、図２に示したように、器具室７０と中央室９０間の隔壁５０ｂと、水平吸入管１０７の側壁とを夫々貫通して上記オリフィス部１０７ａまで延長形成されるため、上記ファンモーターアセンブリ７１から上記水平吸入管１０７内に噴射されるケース体５０周辺の空気が上記集塵室６０の内部に一層迅速に吸入される。
【００１２】
一方、上記周辺空気吸入手段１００の上記吸入網１０１が係合される部分には前記周辺空気吸入手段１００を開閉し得るようにヒンジ軸１０２ａを有する開閉カバー１０２が開閉自在に掛合されて、使用者が自由に開閉し得るように構成されている。
且つ、上記周辺空気吸入手段１００の流路の断面積は、上記第１吸入口５１を包含する吸入ヘッド５５、延長管５６及びホース５７が連結された主吸入通路の断面積より小さく形成するが、これはファンモーターアセンブリ７１の動作によって形成される吸入力の大部分が前記吸入ヘッド５５の位置する掃除領域の異物質を円滑に吸入させるためであって、上記ケース体５０の周辺の浮遊塵は相対的に小さくて軽いため、わずかな吸入力によっても十分な吸入力が発生される。
【００１３】
本発明は、図３に示したように、ストローブ状の吸入管１０５の内径が第１吸入口５１の内径より小さく形成されて、上記水平吸入管１０７は、オリフィス部１０７ａから上記集塵室６０内に貫通される先方端の断面積が漸次に拡大される形状の拡張管１０７ｂに形成されて、前記水平吸入管１０７の先方端１０７ｃは、上記中央室９０と前記集塵室６０間の隔壁５０ａを貫通して塵袋６１の内部に挿入されるようになっている。且つ、前記塵袋６１の外周壁には、ホール６１ａが穿孔形成されて、該ホール６１ａの周壁部位には、前記水平吸入管１０７の挿入後の状態を安定に維持し得るように堅固な材質のリング６２が嵌合されている。
【００１４】
このように構成された本発明に係る真空掃除機の動作においては、器具室７０内のファンモーターアセンブリ７１が作動されると、該ファンモーターアセンブリ７１から発生する吸入力によって上記第１吸入口５１を通って上記吸入ヘッド５５の周囲空間の異物質が塵袋６１内部に吸入されて、該塵袋６１を通って異物質の除去された空気が前記ファンモーターアセンブリ７１を通過した後、各排出通路５４ａ、５４ｂ、５４ｃ、５４ｄを順次通ってケース体５０の外部に排出されると同時に、ケース体５０の上部の開閉カバー１０２が開放された場合、掃除機周辺の空気が上記第２吸入口５２及び上記周辺空気吸入手段１００から吸入されて上記集塵室６０内の塵袋を通過しながら浄化された後、上記器具室７０及び各排出通路５４ａ、５４ｂ、５４ｃ、５４ｄを順次通ってケース体５０の外部に排出される。
【００１５】
そして、このとき、上記ファンモーターアセンブリ７１から排出される空気の一部はエジェクタパイプ１１０を通って上記周辺空気吸入手段１００の上記水平吸入管１０７の内部に高速低圧で噴射されるため、前記水平吸入管１０７の内部圧力が一層低減して上記ケース体５０の内部から排出される空気によって掃除機周辺の浮遊塵などが前記ケース体５０の第２吸入口５２を通って円滑に吸入される。
且つ、上記第２吸入口５２を通って吸入された空気及び塵は、吸入網１０１、吸入ガイド１０３、垂直吸入管１０５及び水平吸入管１０７を順次通って塵袋６１の内部に吸入されて、該塵袋６１の内部に吸入された塵は、該塵袋６１内で浄化された後、浄化された空気のみが前記塵袋６１を通過した後、上記ファンモーターアセンブリ７１及び各排出通路５４ａ、５４ｂ、５４ｃ、５４ｄを順次通ってケース５０の外部に排出される。
【００１６】
以上、本実施形態では、上記周辺空気吸入手段１００に連結される第２吸入口５２がケース体５０の上面に穿孔形成された真空掃除機を説明したが、本発明はこれに限定されず真空掃除機の設計条件に従ってケース体５０の側面、後方側又は底面側などに穿孔形成して使用することもできる。
又、上記周辺空気吸入手段１００の水平吸入管１０７が上記塵袋６１の内部に直接挿合された構造を例示したが、前記周辺空気吸入手段１００の先方端１０７ｃを上記第１吸入口５１に直接連結することもできる。
このようにすると、上記塵袋６１に別途のホール６１ａを穿孔形成することなく、従来のように第１吸入口５１のみが開放された塵袋６１を使用することができる。
【００１７】
【発明の効果】
以上説明したように、本発明に係る真空掃除機においては、掃除機から排出される排出空気によって掃除機周辺の浮遊塵を上記周辺空気吸入手段を通ってケース体内に吸入して浄化さし得るように構成されているため、掃除時の使用者の不快感を低減し得るという効果がある。
且つ、本発明に係る真空掃除機においては、掃除機周辺の浮遊塵まで吸入することによって掃除の効率を向上し得るという効果がある。
【図面の簡単な説明】
【図１】本発明に係る真空掃除機の側面を示した構成図である。
【図２】本発明に係る真空掃除機の内部構造を示した横断面図で図１のＢ−Ｂ線断面図ある。
【図３】本発明に係る真空掃除機の内部構造を示した図で縦断面図である。
【図４】従来の真空掃除機の構成を示した側面図である。
【図５】図４のＡ−Ａ線方向の横断面図である。
【符号の説明】
５０…ケース体
５０ａ、５０ｂ、５０ｃ…隔壁
５１…第１吸入口
５２…第２吸入口
５３…吸入ホール
５４ａ、５４ｂ、５４ｃ、５４ｄ…排出通路
５５…吸入ヘッド
５６…延長管
５７…吸入ホース
５８…輪
６０…集塵室
６１…塵袋
６１ａ…ホール
６２…リング
７０…器具室
７１…ファンモーターアセンブリ
８０…コード室
８１…コードホイール
８３…パワーコード
９０…中央室
１００…周辺空気吸入手段
１０１…吸入網
１０２…開閉カバー
１０３…吸入ガイド
１０５…垂直吸入管
１０７…水平吸入管
１０７ａ…オリフィス部
１０７ｂ…拡張管
１１０…エジェクタパイプ
１１１…ノズル
【図１】
0003718159.tif 000002
【図２】
0003718159.tif 000003
【図３】
0003718159.tif 000004
【図４】
0003718159.tif 000005
【図５】
0003718159.tif 000006